(57)【特許請求の範囲】
【請求項１】
付着防止素材の多層被覆（３）を備える鍋釜類および調理用具（１）の製造方法であって、調理空洞（２）の範囲を定めている壁（７）の内側表面（７ｉ）の被覆の多層（４，５，６）の形成が、適切な被覆物質の適用とそれに続く前記層（４，５，６）の乾燥しオーブンで焼く工程の循環的な繰り返しによりなされ、前記被覆物質の少なくとも最終層（６）は付着防止物質を用いることにより得られ、鍋釜類（１）の調理空洞（２）を被覆する少なくとも最終層（６）の形成のための物質の適用の工程の前に、前記製造方法は添加物として食用油または潤滑材を、前記最終層（６）の形成のために適用される物質に加える工程を備え、
前記食用油または潤滑材はオリーブオイルからなる植物性タイプであることを特徴とする製造方法。
【請求項２】
添加物としてオリーブオイルを加える前記工程は３％〜８％の間の割合で油を加えることにより実行される請求項１に記載の製造方法。
【請求項３】
オリーブオイルの前記添加割合は５％である請求項２に記載の製造方法。
【請求項４】
前記添加物としてのオリーブオイルの添加の工程は、液体状態において混合することにより行われることを特徴とする請求項１に記載の製造方法。
【請求項５】
付着防止物質の前記層（６）はプラスチック素材から作られることを特徴とする請求項１に記載の製造方法。
【発明の詳細な説明】
【技術分野】
【０００１】
本発明は鍋釜類および炊事用具の製造方法に関する。
【背景技術】
【０００２】
付着防止の鍋釜類および炊事用具の製造の先行技術は、ポリテトラフルオロエチレン（ＰＴＦＥ）として知られる減摩性の性質を有する物質の複数の連続的な層を適用し、オーブンで焼くことによる鍋釜類および炊事用具の調理空洞の壁の被覆を含む。
【０００３】
そのような鍋釜類および調理用具の最初の使用の前に、いくつかの製造業は、食用油を染み込ませた丸めたコットンでそれを拭くことにより、ユーザーがＰＴＦＥ被覆を滑らかにするべきであることを勧める。
【０００４】
食用油の目的はＰＴＦＥ層の微細な小孔を埋めることおよびその付着防止能力を向上させることであり、同様に、料理された食物へのそれの不浸透性をさらにより高めることである。
【０００５】
全てのユーザーがいつも使用の前に鍋釜類に油をひいているわけではない。それは注意またはケアの欠如により、または食物の準備におけるオイルと潤滑材の消費を最小限にする極度の試みに基づく食事関連の選択によるかもしれなく、それは、本発明の主問題の鍋釜類および炊事用具の型の購入の決定もしばしば含むかもしれない。
【０００６】
そのような怠慢は直面するかもしれない不利な点の理由であり、繰り返される使用事実を含み、上記の最初に準備された鍋釜類において、付着防止素材の層は、中、長時間の調理流動物の吸収および浸透により徐々に浸されるその孔が、鍋釜類の洗浄を徐々に効果的でないようにするように見える傾向にあり、その浄化に影響を与え得り、食品の味および付着防止層の見た目の外側の品質にさらに影響を与える。
【発明の概要】
【０００７】
本発明の技術的な目的はそのような不利な点を克服することである。
その目的の一部として、本発明の第１目的は、その製品の時間から、鍋釜類において実施され得る解決策を立案することである。
【課題を解決するための手段】
【０００８】
［１］付着防止素材の多層被覆（３）を備える鍋釜類および調理用具（１）の方法であって、調理空洞（２）の範囲を定めている壁（７）の内側表面（７ｉ）の被覆の多層（４，５，６）の形成が、適切な被覆物質の適用とそれに続く前記層（４，５，６）の乾燥しオーブンで焼く工程の循環的な繰り返しによりなされ、前記被覆物質の少なくとも最終層（６）は付着防止物質を用いることにより得られ、鍋釜類（１）の調理空洞（２）を被覆する少なくとも最終層（６）の形成のための物質の適用の工程の前に、前記方法は付加的な食用油または潤滑材を、前記最終層（６）の形成のために適用される物質に加える工程を備えることを特徴とする方法。
【０００９】
［２］前記添加物の添加の工程は、液体状態において混合することにより行われることを特徴とする前記［１］に記載の方法。
【００１０】
［３］前記食用油または潤滑材は植物性タイプであることを特徴とする前記［１］または［２］に記載の方法。
【００１１】
［４］前記食用油はオリーブオイルであることを特徴とする前記［３］に記載の方法。
【００１２】
［５］添加物としてオリーブオイルを加える前記工程は３％〜８％の間の割合で油を加えることにより実行される前記［４］に記載の方法。
【００１３】
［６］オリーブオイルの前記添加割合は５％である前記［５］に記載の方法。
【００１４】
［７］前記植物性の油は種オイル、とうもろこしオイルおよびピーナッツオイルの群から選ばれることを特徴とする前記［３］に記載の方法。
【００１５】
［８］付着防止物質の前記層（６）はプラスチック素材から作られることを特徴とする前記［１］に記載の方法。
【００１６】
［９］付着防止物質の前記層（６）がセラミック素材から作られることを特徴とする前記［１］に記載の方法。
【図面の簡単な説明】
【００１７】
本目的によれば、提案された解決策は、その技術的特徴がこのクレームに明らかに示され、その有利な点が後述および添付図の参照における詳細な説明でより明らかである製造方法であり、それは、単なる例示の方法として好ましい実施形態を示し、本発明の目的を限定しない。
【００１８】
【図１】図１は鍋釜類の立面図の概略部分横断面図である。
【図２】図２は図１の鍋釜類の拡大詳細である。
【図３】図３は図１に記載の型の鍋釜類の製造方法のいくつかの重要な工程の概略ブロック図である。
【発明を実施するための形態】
【００１９】
添付図に示すように、図１において、数字の１は、それ自身の多層構造を有する付着防止素材で作られた薄い被覆３を備える調理空洞２を含む既知の型の鍋釜類を示す。
【００２０】
調理空洞２のための付着防止素材で作られた被覆を備えた鍋釜類または調理用具のそのような型の製造のため、出願人は、相次いで鍋釜類１に重ね合わされ適用された多層４，５および６における前記被覆３の形成を含む製造方法を適用した（図２）。
【００２１】
実際には、鍋釜類１の調理空洞２の壁７の内側表面７ｉは、適切な被覆物質の適用、それに続く適用された物質の乾燥しオーブンで焼く工程、の循環的な繰り返しを含む被覆３の形成を必要とし（図３に概略的に示す）、順々に工程は複数回繰り返され、最も適切な素材を使った各時間は調理用具１の内側空洞２の被覆の構造のための望ましい層の数に依存する。
【００２２】
被覆層の適用は様々な方法で実施されてよく、それらは知られており、例えば、これに限られないが、適切な液体物質のスプレーまたはロール、または同等の被覆粉体の堆積の方法である。
【００２３】
上記の発明は、明白な工業適用の影響を受けやすい。それは修正されてもよく、添付のクレームの範囲から外れないいくつかの方法により改造されてもよい。さらに、本発明の全ての詳細は技術的に同等の要素により代用されてもよい。
【００２４】
上記したように、使用される付着防止素材は様々なタイプでもよく、たとえば、たまたま付着防止素材がポリテトラフルオロエチレン（ＰＴＦＥ）類の時は、プラスチックでもよく、または例えばセラミック素材が使われる場合には鉱物でもよいことは強調され、より、特に、まだ説明的であり、限定されない。
【図１】
0006791863.tif 000002
【図２】
0006791863.tif 000003
【図３】
0006791863.tif 000004